(57)【要約】 【課題】  デザインレビューで発見された不具合およびその不具合に対する対策内容を、より正確に伝達することができる形態で提示することができる設計支援装置を提供する。【解決手段】  ＣＰＵ１１は、入力されたコメントをコメント一覧表に登録するとき、コメントまたはコメントの部分である部分コメントと、不具合が検出された形状、形状の部分、または相対的に可動する部品が可動するアニメーションとを関係付けて登録する。デザインレビューで指摘された不具合に対する対策を検討する際、対策を行う設計者が、データ入力装置１４によって、コメント一覧表に登録されたコメントまたはコメントの部分を選択すると、ＣＰＵ１１は、そのコメントまたはコメントの部分に関係付けられた形状、形状の部分、またはアニメーションを出力装置１５に出力する。【選択図】      図１
2006172197.tif 000002
【特許請求の範囲】
【請求項１】
物体の形状を表す形状データと、前記物体の形状に関するコメントを表すコメントデータとを記憶する記憶手段と、
前記記憶手段に記憶された形状データに基づく物体の形状と、前記記憶手段に記憶されたコメントデータに基づくコメントとを表示する表示手段と、
前記表示手段に表示された物体の形状の中からいずれかの物体の形状を選択し、前記表示手段に表示されたコメントの中からいずれかのコメントを選択し、および前記物体の形状に関するコメントを入力する選択入力手段と、
前記記憶手段に記憶された形状データに基づく物体の形状を前記表示手段に表示させ、
前記表示手段に表示させた物体の形状のうちで、前記選択入力手段によって選択された物体の形状の形状データと、その選択された物体の形状に対して前記選択入力手段によって入力されたコメントのコメントデータとを関係付けて前記記憶手段に記憶させ、
前記記憶手段に記憶させたコメントデータに基づくコメントを前記表示手段に表示させ、
前記表示手段に表示させたコメントのうちで、前記選択入力手段によって選択されたコメントのコメントデータに関係付けられた形状データに基づく物体の形状を前記表示手段に表示させる制御手段とを含むことを特徴とする設計支援装置。
【請求項２】
物体の形状を表す形状データ、前記物体の形状に関するコメントを表すコメントデータ、および前記コメントの部分である部分コメントを表す部分コメントデータを記憶する記憶手段と、
前記記憶手段に記憶された形状データに基づく物体の形状と、前記記憶手段に記憶されたコメントデータに基づくコメントとを表示する表示手段と、
前記表示手段に表示された物体の形状の中からいずれかの物体の形状を選択し、前記表示手段に表示されたコメントの中のいずれかのコメントの部分である部分コメントを選択し、および前記物体の形状に関するコメントを入力する選択入力手段と、
前記記憶手段に記憶された形状データに基づく物体の形状を前記表示手段に表示させ、
前記表示手段に表示させた物体の形状のうちで、前記選択入力手段によって選択された物体の形状の形状データと、その選択された物体の形状に対して前記選択入力手段によって入力されたコメントの部分コメントであって、前記選択入力手段によって選択された部分コメントの部分コメントデータとを関係付けて前記記憶手段に記憶させ、
前記記憶手段に記憶させたコメントデータに基づくコメントを前記表示手段に表示させるとき、前記記憶手段に記憶させた部分コメントデータに基づく部分コメントに対応する部分コメントを識別可能な部分コメントとして表示させ、
前記表示手段に表示させた前記識別可能な部分コメントが、前記選択入力手段によって選択されたとき、その選択された識別可能な部分コメントに関係付けられた形状データに基づく物体の形状を前記表示手段に表示させる制御手段とを含むことを特徴とする設計支援装置。
【請求項３】
前記物体の形状を表す形状データは、製品に含まれる部品の形状を表す形状データであって、３次元の形状の設計を支援する３次元ＣＡＤ装置を用いて生成された形状を表す形状データであることを特徴とする請求項２に記載の設計支援装置。
【請求項４】
前記選択入力手段によって選択された物体の形状の形状データは、相対的に可動する前記部品の形状を可動させる形状データを含むことを特徴とする請求項３に記載の設計支援装置。
【請求項５】
前記選択入力手段によって選択された物体の部品の形状データは、前記部品の部分の形状データであって、面、稜線、および頂点によって構成された形状の形状データを含むことを特徴とする請求項３または４に記載の設計支援装置。
【請求項６】
物体の形状を表す形状データを記憶する形状データ記憶ステップと、
前記形状データ記憶ステップで記憶された形状データに基づく物体の形状を表示する形状表示ステップと、
前記形状表示ステップで表示された物体の形状の中からいずれかの物体の形状を選択する形状選択ステップと、
前記形状選択ステップで選択された物体の形状に関するコメントを入力するコメント入力ステップと、
前記コメント入力ステップで入力されたコメントの部分である部分コメントを選択する部分コメント選択ステップと、
前記形状選択ステップで選択された物体の形状の形状データと、前記部分コメント選択ステップで選択された部分コメントとを関係付けた関係データを生成する関係生成ステップと、
前記コメント入力ステップで入力されたコメントと、前記部分コメント選択ステップで選択された部分コメントとを記憶するコメント記憶ステップと、
前記関係生成ステップで生成された関係データを記憶する関係データ記憶ステップと、
前記コメント記憶ステップで記憶されたコメントを表示するとき、前記コメント記憶ステップで記憶された部分コメントに対応する部分コメントを識別可能な部分コメントとして表示するコメント表示ステップと、
前記コメント表示ステップで表示された前記識別可能な部分コメントが選択されたとき、その選択された識別可能な部分コメントに対応する形状データを、前記関係データ記憶ステップで記憶した関係データに基づいて抽出し、抽出した形状データに基づく物体の形状を表示する関係形状データ表示ステップとを含むことを特徴とする設計支援方法。
【請求項７】
コンピュータに請求項６に記載の設計支援方法を実行させるためのプログラム。
【請求項８】
請求項７に記載のプログラムを記録したコンピュータ読取り可能な記録媒体。
【発明の詳細な説明】
【技術分野】
【０００１】
本発明は、物体の形状に関するコメントの作成と表示を支援する設計支援装置に関し、より詳細には、製品開発時に行われるデザインレビューで指摘された不具合に関するコメントの作成と表示を、３次元ＣＡＤシステムを利用して支援する設計支援装置、設計支援方法、プログラムおよび記録媒体に関する。
【背景技術】
【０００２】
テレビジョン、ビデオテープレコーダ、ＤＶＤ（Digital Versatile Disk）レコーダ、冷蔵庫、洗濯機、エアーコンディッショナ、携帯電話機、ファクシミリ、パーソナルコンピュータ、複写機、自動車、時計などの製品および装置を設計するために、計算機支援設計装置、たとえば３次元ＣＡＤ（Computer Aided Design）装置が用いられる。３次元ＣＡＤ装置は、たとえば製品と装置の形状、それらの内装と外装のレイアウト、製品と装置を構成する部品の形状、およびその部品の取り付け位置などを、３次元の直交座標系における形状データとして定義することによって、製品と装置に関連する３次元の形状の設計を支援する装置である。
【０００３】
３次元ＣＡＤ装置は、たとえば製品と装置を構成する部品の形状を、３次元の形状データを用いて、モニタなどの表示装置に表示することができる。ユーザは、表示装置に表示された部品の形状を確認することによって、部品同士の干渉などの不具合を容易に発見することができる。したがって、設計図面から試作機を製作する前の段階で、部品同士の干渉などの不具合を検出することができるので、試作機を製作するとき、このような不具合の発生を回避することができる。すなわち製品設計における品質を向上することができる。
【０００４】
設計審査すなわちデザインレビューは、製品を設計する工程において、不具合を発見するために行われる審査である。このデザインレビューは、設計部門の技術者だけでなく、設計部門以外の関係部門の技術者も参加して行う審査である。このデザインレビューで摘出された不具合は、文字、数字、および記号などのテキストデータで記述され、たとえばコンピュータを利用して設計者に伝達される。設計者は、コンピュータの端末装置から、伝達された不具合に対する対策案などを入力する。
【０００５】
製品開発時のデザインレビューを支援する従来技術として、デザインレビューのための点検項目毎に重要度を付したライブラリを設け、そのライブラリの点検項目に従って、重要度に応じた点検を行えるように支援する設計支援方法がある。重要度が高いときは権限者の承認を要求し、未解決問題を解決したときはその記録を自動的に残すことによって、重要事項に関する認証を可能とし、デザインレビュー作業の効率化を図ったものである。この設計支援方法では、未解決の問題を解決するとき参考になるように、不具合の概要と対策とを事例データベースに登録して管理している（たとえば特許文献１参照）。
【０００６】
【特許文献１】特開２００３−２９６５２３号公報
【発明の開示】
【発明が解決しようとする課題】
【０００７】
しかしながら、上述した従来技術は、不具合の概要および対策などの情報を事例データベースに登録して管理しているが、登録されている情報は、テキストデータで記述されている。テキストデータで記述されている情報は、たとえば図形で示される情報に比べて、伝達すべき情報を正確に伝達することができないことがあるという問題がある。
【０００８】
たとえば、設計部門の技術者によって用いられる専門的な用語が、設計部門以外の関係部門の技術者によって用いられる用語と異なっていることがあり、設計部門以外の関係部門の技術者によって指摘された不具合が、設計部門の技術者に正しく伝わらないことがある。具体的には、部品に関する不具合を指摘する際に、設計部門以外の関係部門の技術者が用いている部品の別称を記載しても、その別称を知らない設計部門の技術者はその部品を特定することができない。コンピュータを用いてデザインレビュー作業の効率化を図っていても、設計部門の技術者は、その部品の別称を記載した技術者と打合せを行う、あるいは直接問い合せを行うなどして、その部品の別称がどの部品を示しているのかを確認する必要がある。
【０００９】
本発明の目的は、デザインレビューで発見された不具合およびその不具合に対する対策内容を、より正確に伝達することができる形態で提示することができる設計支援装置、設計支援方法、プログラムおよび記録媒体を提供することである。
【課題を解決するための手段】
【００１０】
本発明は、物体の形状を表す形状データと、前記物体の形状に関するコメントを表すコメントデータとを記憶する記憶手段と、
前記記憶手段に記憶された形状データに基づく物体の形状と、前記記憶手段に記憶されたコメントデータに基づくコメントとを表示する表示手段と、
前記表示手段に表示された物体の形状の中からいずれかの物体の形状を選択し、前記表示手段に表示されたコメントの中からいずれかのコメントを選択し、および前記物体の形状に関するコメントを入力する選択入力手段と、
前記記憶手段に記憶された形状データに基づく物体の形状を前記表示手段に表示させ、
前記表示手段に表示させた物体の形状のうちで、前記選択入力手段によって選択された物体の形状の形状データと、その選択された物体の形状に対して前記選択入力手段によって入力されたコメントのコメントデータとを関係付けて前記記憶手段に記憶させ、
前記記憶手段に記憶させたコメントデータに基づくコメントを前記表示手段に表示させ、
前記表示手段に表示させたコメントのうちで、前記選択入力手段によって選択されたコメントのコメントデータに関係付けられた形状データに基づく物体の形状を前記表示手段に表示させる制御手段とを含むことを特徴とする設計支援装置である。
【００１１】
本発明に従えば、まず、記憶手段によって、物体の形状を表す形状データと、前記物体の形状に関するコメントを表すコメントデータとが記憶され、表示手段によって、前記記憶手段に記憶された形状データに基づく物体の形状と、前記記憶手段に記憶されたコメントデータに基づくコメントとが表示され、選択入力手段によって、前記表示手段に表示された物体の形状の中からいずれかの物体の形状が選択され、前記表示手段に表示されたコメントの中からいずれかのコメントが選択され、および前記物体の形状に関するコメントが入力される。
【００１２】
次に、制御手段によって、前記記憶手段に記憶された形状データに基づく物体の形状を前記表示手段に表示させ、前記表示手段に表示させた物体の形状のうちで、前記選択入力手段によって選択された物体の形状の形状データと、その選択された物体の形状に対して前記選択入力手段によって入力されたコメントのコメントデータとを関係付けて前記記憶手段に記憶させ、前記記憶手段に記憶させたコメントデータに基づくコメントを前記表示手段に表示させ、前記表示手段に表示させたコメントのうちで、前記選択入力手段によって選択されたコメントのコメントデータに関係付けられた形状データに基づく物体の形状を前記表示手段に表示させる。
【００１３】
このように、物体の形状に関するコメントとその物体の形状とを関係付けて記憶手段に記憶しておくことによって、コメントに対応する物体の形状を表示手段に表示することができるので、コメントの内容をより正確に伝達することができる形態で提示することができる。
【００１４】
また本発明は、物体の形状を表す形状データ、前記物体の形状に関するコメントを表すコメントデータ、および前記コメントの部分である部分コメントを表す部分コメントデータを記憶する記憶手段と、
前記記憶手段に記憶された形状データに基づく物体の形状と、前記記憶手段に記憶されたコメントデータに基づくコメントとを表示する表示手段と、
前記表示手段に表示された物体の形状の中からいずれかの物体の形状を選択し、前記表示手段に表示されたコメントの中のいずれかのコメントの部分である部分コメントを選択し、および前記物体の形状に関するコメントを入力する選択入力手段と、
前記記憶手段に記憶された形状データに基づく物体の形状を前記表示手段に表示させ、
前記表示手段に表示させた物体の形状のうちで、前記選択入力手段によって選択された物体の形状の形状データと、その選択された物体の形状に対して前記選択入力手段によって入力されたコメントの部分コメントであって、前記選択入力手段によって選択された部分コメントの部分コメントデータとを関係付けて前記記憶手段に記憶させ、
前記記憶手段に記憶させたコメントデータに基づくコメントを前記表示手段に表示させるとき、前記記憶手段に記憶させた部分コメントデータに基づく部分コメントに対応する部分コメントを識別可能な部分コメントとして表示させ、
前記表示手段に表示させた前記識別可能な部分コメントが、前記選択入力手段によって選択されたとき、その選択された識別可能な部分コメントに関係付けられた形状データに基づく物体の形状を前記表示手段に表示させる制御手段とを含むことを特徴とする設計支援装置である。
【００１５】
本発明に従えば、まず、記憶手段によって、物体の形状を表す形状データ、前記物体の形状に関するコメントを表すコメントデータ、および前記コメントの部分である部分コメントを表す部分コメントデータが記憶され、表示手段によって、前記記憶手段に記憶された形状データに基づく物体の形状と、前記記憶手段に記憶されたコメントデータに基づくコメントとが表示され、選択入力手段によって、前記表示手段に表示された物体の形状の中からいずれかの物体の形状が選択され、前記表示手段に表示されたコメントの中のいずれかのコメントの部分である部分コメントが選択され、および前記物体の形状に関するコメントが入力される。
【００１６】
次に、制御手段によって、前記記憶手段に記憶された形状データに基づく物体の形状を前記表示手段に表示させ、前記表示手段に表示させた物体の形状のうちで、前記選択入力手段によって選択された物体の形状の形状データと、その選択された物体の形状に対して前記選択入力手段によって入力されたコメントの部分コメントであって、前記選択入力手段によって選択された部分コメントの部分コメントデータとを関係付けて前記記憶手段に記憶させる。
【００１７】
さらに、制御手段によって、前記記憶手段に記憶させたコメントデータに基づくコメントを前記表示手段に表示させるとき、前記記憶手段に記憶させた部分コメントデータに基づく部分コメントに対応する部分コメントを識別可能な部分コメントとして表示させ、前記表示手段に表示させた前記識別可能な部分コメントが、前記選択入力手段によって選択されたとき、その選択された識別可能な部分コメントに関係付けられた形状データに基づく物体の形状を前記表示手段に表示させる。
【００１８】
このように、物体の形状に関するコメントの部分である部分コメントとその物体の形状とを関係付けて記憶手段に記憶しておくことによって、部分コメントに対応する物体の形状を表示手段に表示することができるので、コメントの内容をより正確に伝達することができる形態で提示することができる。
【００１９】
また本発明は、前記物体の形状を表す形状データは、製品に含まれる部品の形状を表す形状データであって、３次元の形状の設計を支援する３次元ＣＡＤ装置を用いて生成された形状を表す形状データであることを特徴とする。
【００２０】
本発明に従えば、物体の形状の形状データが、製品に含まれる部品に関する形状を表す形状データであって、３次元の形状の設計を支援する３次元ＣＡＤ装置を用いて生成された形状データであるので、たとえば製品開発時のデザインレビューで発見された不具合およびその不具合に対する対策内容を、より正確に伝達することができる形態で提示することができる。
【００２１】
また本発明は、前記選択入力手段によって選択された物体の形状の形状データは、相対的に可動する前記部品の形状を可動させる形状データを含むことを特徴とする。
【００２２】
本発明に従えば、他の部品に対して可動する部品の形状を、他の部品の形状に対して可動させて表示するので、相対的に移動する部品の動きを視覚によって確認することができる。
【００２３】
また本発明は、前記選択入力手段によって選択された物体の部品の形状データは、前記部品の部分の形状データであって、面、稜線、および頂点によって構成された形状の形状データを含むことを特徴とする。
【００２４】
本発明に従えば、指摘コメントを、部品の部分の形状、つまり面、稜線、および頂点によって構成される形状と関連付けるので、不具合が部品の部分であるとき、その部品の不具合部分の形状のみを表示することができる。
【００２５】
また本発明は、物体の形状を表す形状データを記憶する形状データ記憶ステップと、
前記形状データ記憶ステップで記憶された形状データに基づく物体の形状を表示する形状表示ステップと、
前記形状表示ステップで表示された物体の形状の中からいずれかの物体の形状を選択する形状選択ステップと、
前記形状選択ステップで選択された物体の形状に関するコメントを入力するコメント入力ステップと、
前記コメント入力ステップで入力されたコメントの部分である部分コメントを選択する部分コメント選択ステップと、
前記形状選択ステップで選択された物体の形状の形状データと、前記部分コメント選択ステップで選択された部分コメントとを関係付けた関係データを生成する関係生成ステップと、
前記コメント入力ステップで入力されたコメントと、前記部分コメント選択ステップで選択された部分コメントとを記憶するコメント記憶ステップと、
前記関係生成ステップで生成された関係データを記憶する関係データ記憶ステップと、
前記コメント記憶ステップで記憶されたコメントを表示するとき、前記コメント記憶ステップで記憶された部分コメントに対応する部分コメントを識別可能な部分コメントとして表示するコメント表示ステップと、
前記コメント表示ステップで表示された前記識別可能な部分コメントが選択されたとき、その選択された識別可能な部分コメントに対応する形状データを、前記関係データ記憶ステップで記憶した関係データに基づいて抽出し、抽出した形状データに基づく物体の形状を表示する関係形状データ表示ステップとを含むことを特徴とする設計支援方法である。
【００２６】
本発明に従えば、まず、形状データ記憶ステップで、物体の形状を表す形状データを記憶し、形状表示ステップで、前記形状データ記憶ステップで記憶された形状データに基づく物体の形状を表示し、形状選択ステップで、前記形状表示ステップで表示された物体の形状の中からいずれかの物体の形状を選択し、コメント入力ステップで、前記形状選択ステップで選択された物体の形状に関するコメントを入力し、部分コメント選択ステップで、前記コメント入力ステップで入力されたコメントの部分である部分コメントを選択する。
【００２７】
次に、関係生成ステップで、前記形状選択ステップで選択された物体の形状の形状データと、前記部分コメント選択ステップで選択された部分コメントとを関係付けた関係データを生成し、コメント記憶ステップで、前記コメント入力ステップで入力されたコメントと、前記部分コメント選択ステップで選択された部分コメントとを記憶し、関係データ記憶ステップで、前記関係生成ステップで生成された関係データを記憶する。
【００２８】
さらに、コメント表示ステップで、前記コメント記憶ステップで記憶されたコメントを表示するとき、前記コメント記憶ステップで記憶された部分コメントに対応する部分コメントを識別可能な部分コメントとして表示し、関係形状データ表示ステップで、前記コメント表示ステップで表示された前記識別可能な部分コメントが選択されたとき、その選択された識別可能な部分コメントに対応する形状データを、前記関係データ記憶ステップで記憶した関係データに基づいて抽出し、抽出した形状データに基づく物体の形状を表示する。
【００２９】
このように、物体の形状に関するコメントの部分である部分コメントとその物体の形状とを関係付けておくことによって、部分コメントに対応する物体の形状を表示することができるので、コメントの内容をより正確に伝達することができる形態で提示することができる。
【００３０】
また本発明は、コンピュータに前記設計支援方法を実行させるためのプログラムである。
【００３１】
本発明に従えば、前記設計支援方法をコンピュータに実行させるためのプログラムとして提供することができる。
【００３２】
また本発明は、前記プログラムを記録したコンピュータ読取り可能な記録媒体である。
本発明に従えば、設計支援方法をコンピュータに実行させるためのプログラムを記録したコンピュータで読取り可能な記録媒体として提供することができる。
【発明の効果】
【００３３】
本発明によれば、物体の形状に関するコメントとその物体の形状とを関係付けて記憶手段に記憶しておくことによって、コメントに対応する物体の形状を表示手段に表示することができるので、コメントの内容をより正確に伝達することができる形態で提示することができる。すなわち、コメントと形状データとを関係付けることによって、コメントに対応する形状を視覚的に提示することができるので、コメントの内容が正確に認識される認識率を向上することができる。
【００３４】
本発明によれば、物体の形状に関するコメントの部分である部分コメント、たとえばキーワードと、その物体の形状とを関係付けて記憶手段に記憶しておくことによって、部分コメントに対応する物体の形状を表示手段に表示することができるので、コメントの内容をより正確に伝達することができる形態で提示することができる。すなわち、コメントの部分、たとえばキーワードと形状データとを関係付けることによって、部分コメントに対応する形状を視覚的に提示することがきるので、コメントの内容が正確に認識される認識率を向上することができる。
【００３５】
また本発明によれば、物体の形状の形状データが、製品に含まれる部品に関する形状を表す形状データであって、３次元の形状の設計を支援する３次元ＣＡＤ装置を用いて生成された形状データであるので、たとえば製品開発時のデザインレビューで発見された不具合およびその不具合に対する対策内容を、より正確に伝達することができる形態で提示することができる。したがって、指摘された不具合を示すコメントに対して、より的確に対策を行うことが可能になるとともに、不具合に対する対策内容の提示を、不具合の指摘者に対して、より明確に行うことが可能になる。言い換えれば、コメントとそのコメントに関係する３次元の形状データとを連携させ、視覚的に提示することができるので、コメントの内容の認識率が上がり、より的確に対策することが可能になる。さらに対策内容に関しても３次元の形状データと連携するので、指摘者への対策内容の提示を明確にすることが可能になる。
【００３６】
また本発明によれば、他の部品に対して可動する部品の形状を、他の部品の形状に対して可動させて表示するので、相対的に移動する部品の動きを視覚によって確認することができる。したがって、部品間の干渉などの不具合を容易に検出することができる。
【００３７】
また本発明によれば、指摘コメントを、部品の部分の形状、つまり面、稜線、および頂点によって構成される形状と関連付けるので、不具合が部品の部分であるとき、その部品の不具合部分の形状のみを表示することができる。したがって、部品の不具合をより正確に伝達することができる。
【００３８】
また本発明によれば、物体の形状に関するコメントの部分である部分コメントとその物体の形状とを関係付けておくことによって、部分コメントに対応する物体の形状を表示することができるので、コメントの内容をより正確に伝達することができる形態で提示することができる。すなわち、コメントの部分、たとえばキーワードと形状データとを関係付けることによって、コメントに対応する形状を視覚的に提示することがきるので、コメントの内容が正確に認識される認識率を向上することができる。
【００３９】
また本発明によれば、設計支援方法をコンピュータに実行させるためのプログラムとして提供することができる。
【００４０】
また本発明によれば、設計支援方法をコンピュータに実行させるためのプログラムを記録したコンピュータで読取り可能な記録媒体として提供することができる。
【発明を実施するための最良の形態】
【００４１】
図１は、本発明の実施の一形態であるコメント作成装置１のハードウエア構成を示す図である。設計支援装置であるコメント作成装置１は、ＣＰＵ（Central Processing Unit）１１、記憶装置１２、ＲＡＭ（Random Access Memory）１３、データ入力装置１４、出力装置１５、入力インタフェース１６、出力インタフェース１７、およびネットワーク接続装置１８を含んで構成される。
【００４２】
ＣＰＵ１１は、コメント作成装置１を制御するプログラムを実行する中央処理装置である。ＣＰＵ１１によって実行されるプログラムは、コメント作成装置１の後述する機能を実現するプログラム、ＯＳ（Operating System）、およびアプリケーションプログラム、たとえば３次元の図形データなどの生成を支援する３次元ＣＡＤ（Computer Aided
Design）プログラムを含み、記憶装置１２およびＲＡＭ１３の少なくともいずれかに記憶される。ＲＡＭ１３は、半導体メモリなどのＲＡＭである。記憶装置１２は、たとえばＲＡＭ、ＲＯＭ（Read Only Memory）、メモリカード、フレキシブルディスク、ＣＤ−ＲＯＭ（Compact Disk Read Only Memory）、磁気ディスク装置、光ディスク装置、光磁気ディスク装置等の記憶装置であり、ＲＡＭ１３に比べてアクセス速度が遅い記憶装置である。記憶装置１２に記憶されたプログラムは、実行時にＲＡＭ１３にロードされて実行される。３次元ＣＡＤプログラムは、物体たとえば製品および部品の３次元の図形つまり形状などの生成を支援するプログラムである。
【００４３】
ＣＰＵ１１がプログラムを実行する際に利用するデータ、たとえば３次元ＣＡＤプログラムによって生成された３次元の形状を示す形状データなどのデータは、記憶装置１２またはＲＡＭ１３に記憶される。これらのプログラムおよびデータは、ネットワークに接続されているデータベース１９に記憶しておき、ネットワークを介してデータなどの送受信を行うネットワーク接続装置１８を介して、必要なプログラムおよびデータを、記憶装置１２またはＲＡＭ１３にダウンロードして用いてもよい。
【００４４】
データ入力装置１４は、たとえばキーボード、ポインティングデバイス、マウス、タッチパネル等の入力装置である。ユーザがデータ入力装置１４から入力したデータ、たとえば製品の形状を示す製品形状情報、部品の形状を示す部品形状情報、部品の取り付け位置を示す取り付け位置情報、設計審査（以下、デザインレビューともいう）の項目を示す設計審査項目情報、摘出された不具合の情報である不具合情報、および不具合に対する対策内容を示す対策情報などのデータは、入力インタフェース１６を介してＣＰＵ１１に送信される。ＣＰＵ１１は、送信されたデータを、記憶装置１２またはＲＡＭ１３に記憶する。
【００４５】
出力装置１５は、たとえばＣＲＴ（Cathode Ray Tube）または液晶ディスプレイなどのディスプレイを有する表示装置、またはたとえばプリンタなどの印刷装置などの出力装置である。出力装置１５は、ＣＰＵ１１から出力インタフェース１７を介して送られてきたデータ、たとえば製品形状情報、部品形状情報、取り付け位置情報、不具合情報、対策情報、およびアニメーションなどの動画情報などのデータを出力する。
【００４６】
デザインレビューの際、ＣＰＵ１１は、３次元ＣＡＤプログラムを用いて生成された形状データに基づく形状、すなわちユーザがデータ入力装置１４から入力した製品形状情報、部品形状情報、および部品の取り付け位置情報などから生成された形状データに基づく３次元の形状を表示する。デザインレビューを行う審査者は、表示された形状に対して、たとえば出力装置１５に表示された設計審査項目情報に従って、審査を行う。審査者は、審査の結果、不具合を検出したとき、データ入力装置１４によって、検出した不具合をコメントとして入力する。ＣＰＵ１１は、入力されたコメントをコメント一覧表に登録するとき、コメントまたはコメントの部分である部分コメントと、不具合が検出された形状、形状の部分、または相対的に可動する部品が可動するアニメーションとを関係付けて登録する。
【００４７】
デザインレビューで指摘された不具合に対する対策を検討する際、対策を行う設計者が、データ入力装置１４によって、コメント一覧表に登録されたコメントまたはコメントの部分を選択すると、ＣＰＵ１１は、そのコメントまたはコメントの部分に関係付けられた形状、形状の部分、またはアニメーションを出力装置１５に出力する。設計者は、出力装置１５に出力された形状、形状の部分、またはアニメーションを参照して、コメントで示された不具合に対する対策案を検討し、検討した対策案をデータ入力装置１４によって入力し、コメント一覧表に登録する。
【００４８】
このように、設計者は、出力装置１５に出力された３次元の形状を参照しながら、対策案を検討することができるので、より的確に対策を行うことが可能になる。
【００４９】
さらに、不具合を指摘した審査者は、設計者が登録した対策案を確認するとき、コメント一覧表に登録されたコメントまたはコメントの部分を選択することによって、そのコメントまたはコメントの部分に関係付けられた３次元の形状、形状の部分、またはアニメーションが出力装置１５に出力されるので、不具合に対する対策内容をより明確に把握することができる。
【００５０】
ＣＰＵ１１が制御手段、記憶装置１２およびＲＡＭ１３が記憶手段、データ入力装置１４が選択入力手段、出力装置１５が表示手段である。
【００５１】
図２は、図１に示したコメント作成装置１の機能関連図の一例を示す図である。コメント作成装置１は、入力部２１、選択部２２、関係生成部２３、記憶処理部２４、関係情報取得部２５、表示部２６、および記憶部２７を含んで構成される。入力部２１、選択部２２、関係生成部２３、記憶処理部２４、関係情報取得部２５、および表示部２６の機能は、ＣＰＵ１１で実行されるプログラムによって実現され、記憶部２７の機能は、記憶装置１２およびＲＡＭ１３によって実現される。
【００５２】
入力部２１は、形状データ入力部２１１と指摘コメント入力部２１２を含んで構成される。形状データ入力部２１１は、３次元ＣＡＤプログラムに含まれる機能であり、３次元ＣＡＤプログラムが製品および部品の形状を表す３次元の形状データを生成するためのデータの入力を制御する。指摘コメント入力部２１２は、たとえばデザインレビューの際、形状データに基づいて表示された形状に対する審査の結果、不具合が検出されたとき、検出された不具合を示すコメント（以下、指摘コメントともいう）の入力を制御する。製品の形状データおよび部品の形状データは、直交座標系における部品の頂点の位置を示す頂点座標および部品の面の配置を示す面情報などからなる形状データである。
【００５３】
選択部２２は、コメント選択部２２１と形状データ選択部２２２とを含んで構成される。コメント選択部２２１は、指摘コメント入力部２１２によって入力された指摘コメント、または指摘コメントの部分、たとえば指摘コメントの中の部品名を示す部分、あるいはキーワードとなる部分などの部分コメントの選択を制御する。形状データ選択部２２２は、コメント選択部２２１によって選択された指摘コメントまたは指摘コメントの部分と関係付ける形状の形状データ、形状の部分の形状データ、または相対的に可動する部品の形状を可動させる形状データであるアニメーションデータの選択を制御する。形状の部分の形状データ（以下形状データの部分ともいう）は、面、稜線、および頂点から構成される形状データである。
【００５４】
関係生成部２３は、コメント選択部２２１によって選択された指摘コメントまたは指摘コメントの部分と、形状データ選択部２２２によって選択された形状データ、形状データの部分、またはアニメーションデータとを関係付けた関係データを生成する。
【００５５】
記憶部２７は、指摘コメントＤＢ（database）２７１、形状情報ＤＢ２７２、および関係情報ＤＢ２７３を含んで構成される。指摘コメントＤＢ２７１は、指摘コメント入力部２１２によって入力された指摘コメントを記憶する。形状情報ＤＢ２７２は、形状データ入力部２１１によって入力されたデータに基づいて生成された形状の形状データを記憶する。関係情報ＤＢ２７３は、関係生成部２３によって生成された関係データを記憶する。コメント選択部２２１によって選択された指摘コメントまたは指摘コメントの部分、および形状データ選択部２２２によって選択された形状データ、形状データの部分、またはアニメーションデータは、記憶部２７の図示しない他のＤＢに記憶される。
【００５６】
記憶処理部２４は、形状データ記憶部２４１、指摘コメント記憶部２４２、コメント部分記憶部２４３、および関係記憶部２４４を含んで構成される。記憶処理部２４は、記憶部２７へのデータの記憶を制御し、記憶部２７へのデータの書き込み、および記憶部２７からのデータの読み出しを行う。
【００５７】
形状データ記憶部２４１は、形状データ入力部２１１によって入力されたデータに基づいて生成された形状の形状データを記憶部２７に記憶させる。指摘コメント記憶部２４２は、指摘コメント入力部２１２によって入力された指摘コメントを記憶部２７に記憶させる。コメント部分記憶部２４３は、コメント選択部２２１によって選択された指摘コメントまたは指摘コメントの部分、および形状データ選択部２２２によって選択された形状データ、形状データの部分、またはアニメーションデータを記憶部２７に記憶させる。関係記憶部２４４は、関係生成部２３によって生成された関係データを記憶部２７に記憶させる。
【００５８】
関係情報取得部２５は、記憶部２７の関係情報ＤＢ２７３に記憶された関係データに基づいて、コメント選択部２２１によって選択された指摘コメントまたは指摘コメントの部分に関係付けられた形状データ、形状データの部分、またはアニメーションデータを、記憶部２７に記憶した形状データ、形状データの部分、およびアニメーションデータの中ら取得する。
【００５９】
表示部２６は、形状データ表示部２６１、コメント表示部２６２、コメント部分表示部２６３、および関係表示部２６４を含んで構成される。形状データ表示部２６１は、形状データ入力部２１１によって入力されたデータ、その入力されたデータに基づいて３次元ＣＡＤプログラム等によって生成された形状の形状データ、形状データ選択部２２２によって選択された形状データ、形状データの部分、およびアニメーションデータ、および形状情報ＤＢ２７２に記憶された形状データなどの形状データに基づく形状を表示する。コメント表示部２６２は、指摘コメントＤＢ２７１に記憶された指摘コメントを表示する。コメント部分表示部２６３は、記憶部２７に記憶された部分コメントを表示する。関係表示部２６４は、関係情報ＤＢ２７３に記憶された関係データに基づく関係データ表を表示する。
【００６０】
図３は、図１に示したコメント作成装置１で生成されたコメント一覧表の一例を示す図である。コメント一覧表は、コメントＩＤ３１、指摘コメント３２、指摘者３３、指摘日３４、回答３５、回答者３６、回答日３７、およびステータス３８の８つの欄を含んで構成される。コメントＩＤ３１の欄には、デザインレビューの審査者である指摘者によって指摘された指摘コメントを識別するための識別情報、指摘コメント３２の欄には、指摘者によって指摘された不具合を示すコメント、指摘者３３の欄には、指摘者の名前、および指摘日３４の欄には、指摘者が不具合を検出した月日が記載され、いずれの欄も指摘者によって記載される。
【００６１】
回答３５の欄には、指摘コメント３２の欄に記載されたコメントによって示された不具合に対する対策内容、回答者３６の欄には、対策内容を記載した設計者の名前、回答日３７の欄には、対策内容を記載した月日、およびステータス３８の欄には指摘された不具合の解決状況を示すステータスが記載され、いずれの欄も設計者によって記載される。
【００６２】
たとえばコメントＩＤ３１の欄が「コメント１」である指摘コメントに対応する指摘コメント３２、指摘者３３、指摘日３４、回答３５、回答者３６、回答日３７、およびステータス３８の欄には、それぞれ「ビス３本の種類変更」、「山田」、「○月○日」、「種類Ａに変更」、「山本」、「△月△日」、および「解決」と記載されている。指摘コメント３２の欄に記載されたコメント「ビス３本の種類変更」の下線部、つまり「ビス３本」が指摘コメントの部分である部分コメントである。
【００６３】
さらにコメントＩＤ３１の欄が「コメント２」である指摘コメントに対応する指摘コメント３２、指摘者３３、指摘日３４、回答３５、回答者３６、回答日３７、およびステータス３８の欄には、それぞれ「動的干渉あり」、「鈴木」、「○月○日」、「部品６１の突起削除」、「中村」、「△月△日」、および「未確認」と記載されている。指摘コメント３２の欄に記載されたコメント「動的干渉あり」の下線部、つまり「動的干渉」が指摘コメントの部分である部分コメントである。
【００６４】
さらにまたコメントＩＤ３１の欄が「コメント３」である指摘コメントに対応する指摘コメント３２、指摘者３３、指摘日３４、回答３５、回答者３６、回答日３７、およびステータス３８の欄には、それぞれ「穴の軸ずれあり」、「田中」、「○月○日」、「部品７１の穴７３にあわせる」、「上田」、「△月△日」、および「未確認」と記載されている。指摘コメント３２の欄に記載されたコメント「穴の軸ずれあり」の下線部、つまり「穴の軸」が指摘コメントの一部である部分コメントである。
【００６５】
図４は、図１に示したコメント作成装置１で生成された関係データ表の一例を示す図である。関係データ表は、指摘コメントまたは指摘コメントの部分と、形状データ、形状データの部分、またはアニメーションデータとを関係付ける表である。関係データ表は、リンクＩＤ４１、リンク元４２、およびリンク先４３の３つの欄を含んで構成される。
【００６６】
リンクＩＤ４１の欄には、指摘コメントまたは指摘コメントの部分と、形状データ、形状データの部分、またはアニメーションデータとの関係付けを識別するための識別情報、リンク元４２の欄には、コメント一覧表に登録された指摘コメントの中のどのコメントであるかを識別する識別情報であるコメントＩＤ、およびリンク先４３の欄には、リンク元４２の欄に記載されたコメントＩＤが示す指摘コメントまたは指摘コメントの部分に関係付けられた形状データ、形状データの部分、またはアニメーションデータを特定するための形状データ特定情報が記載されている。たとえばリンクＩＤ４１の欄が「リンク１」である関係付けに対応するリンク元４２およびリンク先４３の欄には、それぞれ「コメント１」および「形状データ１」と記載されている。「コメント１」が「形状データ１」に関係付けられていることを示している。
【００６７】
さらにリンクＩＤ４１の欄が「リンク２」である関係付けに対応するリンク元４２およびリンク先４３の欄には、それぞれ「コメント２」および「アニメーション２」と記載されている。「コメント２」が「アニメーション２」に関係付けられていることを示している。さらにリンクＩＤ４１の欄が「リンク３」である関係付けに対応するリンク元４２およびリンク先４３の欄には、それぞれ「コメント３」および「面データ３」と記載されている。「コメント３」が「面データ３」に関係付けられていることを示している。
【００６８】
図５は、図１に示したコメント作成装置１が行う関係生成処理の流れを示すフローチャートである。製品開発において設計審査つまりデザインレビューが行われる前に、形状データ入力部２１１によって、３次元ＣＡＤプログラムを用いて製品または部品を設計するためのデータを入力する。入力されるデータには、部品の形状を表現するための頂点座標と面情報、部品の組合せに関するアセンブリ情報として、部品をグループ化するための部品の親子関係と部品間の相対位置などの位置情報、製品内に部品を配置する際の部品毎のローカル座標と製品内の配置座標が含まれる。入力されたデータおよび生成された形状データは、形状情報ＤＢ２７２に記憶される。
【００６９】
設計審査が行われるとき、ステップＳ１に移る。ステップＳ１では、３次元ＣＡＤプログラムによって生成され、形状情報ＤＢ２７２に記憶された３次元の形状データに基づく形状が出力装置１５に表示され、表示された形状を用いて設計審査が行なわれる。設計審査では、部品形状のチェック、部品間の干渉チェック、部品間の隙間チェック、設計意図の確認などが行われる。ステップＳ２では、不具合つまり問題点が発見されたか否かを判定する。問題点が発見されたとき、ステップＳ３に進み、問題点が発見されなかったとき、終了する。
【００７０】
ステップＳ３では、形状データ選択部２２２によって、問題点の対象となる形状データが選択される。選択される形状データは、部品の形状データ、部品の部分の形状データすなわち面、稜線、および頂点で構成される形状データ、または相対的に稼動する部品の形状を可動させる形状データであるアニメーションデータである。ステップＳ４では、指摘コメント入力部２１２によって、問題点を示すコメントである指摘コメントが入力される。図３に示したコメント一覧表の指摘コメント３２の欄に、指摘コメントの例が示されている。入力されたコメントは、記憶部２７に記憶される。
【００７１】
ステップＳ５では、コメント選択部２２１によって、選択された形状データと関係付ける指摘コメントまたは指摘コメントの一部つまり部分、たとえばキーワードなどの部分である部分コメントが選択される。ステップＳ６では、関係生成部２３が、形状データ選択部２２２によって選択された形状データと、コメント選択部２２１によって選択された指摘コメントまたは指摘コメントの部分との関係データを生成する。ステップＳ７では、関係記憶部２４４が、生成された関係データを記憶部２７に記憶し、コメント部分記憶部２４３が、コメント選択部２２１によって選択された指摘コメントまたは指摘コメントの部分、および形状データ選択部２２２によって選択された形状データ、形状データの部分、またはアニメーションデータを記憶部２７に記憶して、ステップＳ１に戻る。
【００７２】
図６は、図１に示したコメント作成装置１が行う関係情報取得処理の流れを示すフローチャートである。不具合の対策を担当する設計者または指摘者が、コメント一覧表に登録された指摘コメントまたは対策内容などを表示するとき、ステップＳ１０に移る。ステップＳ１０では、指摘コメントＤＢ２７１に記憶されたコメント一覧表を出力装置１５に表示し、表示されたコメント一覧表の中からコメントを一つ取得する。このとき、指摘コメントのなかで、形状データに関係付けられたコメントの部分は、関係付けられていることを示す情報、たとえば下線などが付与されることによって、識別可能な部分コメントとして表示される。
【００７３】
ステップＳ１１では、コメント一覧表の指摘コメント３２の欄からコメントを取得することができたか否か判定する。コメントを取得することができたとき、ステップＳ１２に進み、取得することができなかったとき、つまりコメント一覧表にコメントが無いときまたはコメント一覧表の全てのコメントについて表示したとき、終了する。ステップＳ１２では、コメント選択部２２１によって、取得されたコメントの全文もしくは関係付けられたコメントの部分を選択する。関係付けられたコメントの部分は、たとえばキーワードの部分である。
【００７４】
ステップＳ１３では、関係情報取得部２５が、関係情報ＤＢ２７３に記憶された関係データに基づいて、コメント選択部２２１によって選択されコメントもしくはコメントの部分に関係付けられた形状データを抽出する。ステップＳ１４では、抽出した形状データの分類が何かを判定する。分類は、たとえば部品の形状データ、アニメーションデータ、またはフィーチャつまり部品の部分の形状データである。分類が部品の形状データのとき、ステップＳ１５に進み、分類がアニメーションデータのとき、ステップＳ１６に進み、分類がフィーチャの形状データとき、ステップＳ１７に進む。
【００７５】
ステップＳ１５では、部品の形状データに基づく形状を表示した後、ステップＳ１０に戻る。ステップＳ１６では、アニメーションデータに基づいて、相対的に可動する部品の形状を可動させて表示した後、ステップＳ１０に戻る。ステップＳ１７では、フィーチャつまり部品の部分の形状データに基づく形状を表示した後、ステップＳ１０に戻る。ステップＳ１５〜ステップ１７からステップＳ１０に戻った後、ステップＳ１０では、次のコメントを取得する。
【００７６】
図５に示した関係生成処理および図６に示した関係情報取得処理によって本発明の実施の他の形態である設計支援方法すなわちコメント作成方法が実現される。この実施の形態では、コメント一覧表に記載された指摘コメントから、関係付けられた部品の形状等を表示したが、形状データに基づく形状を表示しておいて、部品の形状または部品の形状の一部が選択されたことによって、関係データに基づいて、選択された部品の形状または部品の形状の一部に関係付けられた指摘コメントを表示させてもよい。
【００７７】
図７は、図１に示したコメント作成装置１で生成された部品の形状の第１の例を示す図である。デザインレビューにおいて、指摘者は、形状データに基づいて表示された部品の形状または他の部品との関係を審査する。指摘者は、不具合つまり問題点を発見すると、問題点を示す指摘コメントを入力する。ＣＰＵ１１は、指摘コメントが入力されると、入力された指摘コメントをコメント一覧表に登録する。入力されるコメントは、文字、数字、および記号などのテキストによって、設計者に不具合内容を伝えるためのものである。
【００７８】
第１の例では、たとえばビス５１の種類に問題点が発見され、「ビス３本の種類変更」というコメントが入力される。問題点のあるビスがどのビスであるかを容易に特定することができるように、指摘者が出力装置１５に表示されている３本のビス５１を選択すると、ＣＰＵ１１は、表示している形状の形状データをコメント中の部分である「ビス３本」に関係付ける。入力されたコメントは、図３に示したコメントＩＤ「コメント１」の指摘コメント３２の欄に「ビス３本の種類変更」と記載されている。
【００７９】
図８は、図７に示した第１の例におけるコメントと形状データとの関係付けを説明するための図である。表示画面の一部であるコメント表示部分８１に表示されたコメントのうち、形状データに関係付けられたコメントの部分に、関係付けられた形状データがあることを示す識別情報が付与されている。たとえばコメント表示部分８１に表示された「ビス３本」に付された下線が、形状データに関係付けられたコメントの部分であることを示している。
【００８０】
表示画面９１には、コメント表示部分８１に表示されたコメントに関係付けられた形状データに基づく形状が表示されている。表示画面９２は、マウスによる操作によって移動することができる画面上のポインタ８０によって、コメント表示部分８１に表示されたコメントの部分「ビス３本」を指定したときに表示される画面を示している。表示画面９２に表示されたビス５２は、点滅されて、あるいはハイライトされてつまり強調されて表示される。
【００８１】
第１の例では、コメントから部品の形状を表示したが、まず部品の形状を表示しておき、次に表示された部品の形状の中から少なくとも１つの部品の形状が選択されたとき、関係データに基づいて、コメント一覧表の中で、選択された部品の形状に関係付けられたコメントの行を表示するようにしてもよい。コメントに関係付ける部品を識別するための部品コード情報と、そのコメントのコメントＩＤとを関係付けて記憶しておくことによって、表示された部品の形状の中から、部品の形状が選択されたとき、選択された部品の形状に関係付けられたコメントを抽出することができる。
【００８２】
図９は、図１に示したコメント作成装置１で生成された部品の形状の第２の例を示す図である。部品Ａ６１と部品Ｂ６２との２つ部品から構成される組品について、部品Ａ６１の中に部品Ｂ６２が組み合わされており、部品Ｂ６２は方向Ｄ６３の方向に可動する構成である。組立てられた状態では不具合は露見しないが、２つの部品を相対的に可動させたとき、不具合があるとわかる例を示している。実際の製品設計においては、２つ部品の設計者が異なるときに、このような不具合が発生する可能性がある。
【００８３】
図９（ａ）は、部品Ａ６１と部品Ｂ６２とから構成される組品が組立てられた状態を示している。図９（ｂ）は、部品Ｂ６２が部品Ａ６１に対して、引き抜かれる方向Ｄ６３の方向に可動した状態を示している。部品Ｂ６２は、部品Ａ６１の内壁の凸部分と干渉し、部品Ｂ６２をそれ以上部品Ａ６１から引き抜けない不具合がある。図９（ｃ）は、部品Ａ６１と部品Ｂ６２から構成された組品の斜視図である。図９（ａ）および図９（ｂ）は、点線６４で示した面で切断したときの切断面を示している。
【００８４】
デザインレビューの際、部品Ｂ６２を部品Ａ６１に対して可動させて表示することによって、不具合を検出することができる。不具合が検出されたとき、部品Ｂ６２を部品Ａ６１に対して可動させたときの形状データをアニメーションデータとして記憶する。指摘者は、不具合についての指摘コメントを入力する際、形状データとして、記憶されているアニメーションデータを選択することによって、指摘コメントとアニメーションデータとを関係付けることができる。
【００８５】
図１０は、図９に示した第２の例におけるコメントと形状データとの関係付けを説明するための図である。表示画面の一部であるコメント表示部分８２に表示されたコメントのうち、下線が付された「動的干渉」の部分が、形状データに関係付けられたコメントの部分であることを示している。
【００８６】
表示画面９３には、コメント表示部分８２に表示されたコメントに関係付けられた形状データが表示されている。マウスによる操作で移動することができる画面上のポインタ８０によって、コメント表示部分８２に表示されたコメントの部分「動的干渉」を指定したとき、部品Ｂ６２が部品Ａ６１に対して、方向Ｄ６３の方向に可動する形状がアニメーションで表示される。
【００８７】
図１１は、図１に示したコメント作成装置１で生成された部品の形状の第３の例を示す図である。穴Ｇ７３を有する部品Ｅ７１と穴Ｈ７４を有する部品Ｆ７２との２つの部品から構成される組品について、設計上は同軸である穴Ｇ７３と穴Ｈ７４とがずれている不具合のある例を示している。指摘者は、不具合についての指摘コメントを入力する際、形状データとして、各部品の穴をあらわす形状要素を選択する。穴の形状要素は、穴の稜線または穴を構成する円筒の側面が望ましい。
【００８８】
図１１（ａ）は、部品Ｅ７１と部品Ｆ７２との２つの部品から構成される組品の外観の斜視図である。部品Ｅ７１の穴Ｇ７３が示されているが、部品Ｆ７２の穴Ｈ７４とのずれはこの外観からは分からない。図１１（ｂ）は、部品Ｅ７１と部品Ｆ７２との２つの部品から構成される組品を、穴Ｇ７３の開口部のある面を見る方向から見た図である。穴Ｇ７３と穴Ｈ７４とにずれのあることは分かるが、穴Ｈ７４の隠れている部分については見ることができない。図１１（ｃ）は、形状データを選択するとき、穴Ｇ７３および穴Ｈ７４を選択することができるようにするために、穴Ｇ７３および穴Ｈ７４の円筒図形を点線で示したものである。
【００８９】
図１２は、図１１に示した第３の例におけるコメントと形状データとの関係付けを説明するための図である。表示画面の一部であるコメント表示部分８３に表示されたコメントのうち、下線が付された「穴の軸」の部分が、形状データに関係付けられたコメントの部分であることを示している。
【００９０】
表示画面９４には、コメント表示部分８３に表示されたコメントに関係付けられた形状データが表示されている。マウスによる操作で移動することができる画面上のポインタ８０によって、コメント表示部分８３に表示されたコメントの部分「穴の軸」を指定したとき、穴Ｇ７３および穴Ｈ７４の円筒図形がハイライトされてつまり強調されて表示される。
【００９１】
第３の例では、指摘コメントから部品の一部の形状を表示したが、まず部品の形状を表示しておき、いずれかの部品の形状が選択されたとき、関係データに基づいて、コメント一覧表の中で、選択された部品の形状に関係付けられたコメントの行を表示するようにしてもよい。設計者は、表示されたコメントに対する対策内容を入力し、指摘者に対する回答とすることができる。
【００９２】
設計支援方法をＣＰＵ１１に実行させるプログラムは、ＣＰＵ１１で読取り可能な記録媒体に格納されておればよく、上述した実施の形態では、記録媒体として、記憶装置１２およびＲＡＭ１３を用いたが、外部記憶装置としてプログラム読取装置が設けられ、そこに記録媒体を挿入することによって読取り可能となるような記録媒体であってもよい。記録媒体に格納されているプログラムは、ＣＰＵ１１がアクセスして実行可能な構成であればよい。あるいは、プログラムを読出し、読出したプログラムをＲＡＭ１３にダウンロードして、プログラムを実行する構成であればよい。このダウンロード用のプログラムは、図示しないＲＯＭに予め格納しておく。
【００９３】
記録媒体がコンピュータと分離可能に構成される場合、記録媒体は、磁気テープ／カセットテープなどのテープ系、フレキシブルディスク／ハードディスクなどの磁気ディスクまたはＣＤ−ＲＯＭ（Compact Disk-Read Only Memory）／ＭＯ（Magneto Optical Disk）／ＭＤ（Mini Disk）／ＤＶＤ（Digital Versatile Disk）などの光ディスクのディスク系、ＩＣ（Integrated Circuit）カード（メモリカードを含む）／光カードなどのカード系、あるいはマスクＲＯＭ／ＥＰＲＯＭ（Erasable Programmable Read Only Memory）／フラッシュＲＯＭなどによる半導体メモリを含め、固定的にプログラムを保持する記録媒体であればよい。
【図面の簡単な説明】
【００９４】
【図１】本発明の実施の一形態であるコメント作成装置１のハードウエア構成を示す図である。
【図２】図１に示したコメント作成装置１の機能関連図の一例を示す図である。
【図３】図１に示したコメント作成装置１で生成されたコメント一覧表の一例を示す図である。
【図４】図１に示したコメント作成装置１で生成された関係データの一例を示す図である。
【図５】図１に示したコメント作成装置１が行う関係生成処理の流れを示すフローチャートである。
【図６】図１に示したコメント作成装置１が行う関係情報取得処理の流れを示すフローチャートである。
【図７】図１に示したコメント作成装置１で生成された部品の形状の第１の例を示す図である。
【図８】図７に示した第１の例におけるコメントと形状データとの関係付けを説明するための図である。
【図９】図１に示したコメント作成装置１で生成された部品の形状の第２の例を示す図である。
【図１０】図９に示した第２の例におけるコメントと形状データとの関係付けを説明するための図である。
【図１１】図１に示したコメント作成装置１で生成された部品の形状の第３の例を示す図である。
【図１２】図１１に示した第３の例におけるコメントと形状データとの関係付けを説明するための図である。
【符号の説明】
【００９５】
１  コメント作成装置
１１  ＣＰＵ
１２  記憶装置
１３  ＲＡＭ
１４  データ入力装置
１５  出力装置
１６  入力インタフェース
１７  出力インタフェース
１８  ネットワーク接続装置
１９  データベース
２１  入力部
２２  選択部
２３  関係生成部
２４  記憶処理部
２５  関係情報取得部
２６  表示部
２７  記憶部
【図１】
2006172197.tif 000003
【図２】
2006172197.tif 000004
【図３】
2006172197.tif 000005
【図４】
2006172197.tif 000006
【図５】
2006172197.tif 000007
【図６】
2006172197.tif 000008
【図７】
2006172197.tif 000009
【図８】
2006172197.tif 000010
【図９】
2006172197.tif 000011
【図１０】
2006172197.tif 000012
【図１１】
2006172197.tif 000013
【図１２】
2006172197.tif 000014